(57)【特許請求の範囲】
【請求項１】
入手した番組案内データに基づいて番組案内表示画面を作成し画面に表示する放送受信装置において、
前記番組案内表示画面を作成させるための複数の番組案内表示プログラムを記憶する表示方法記憶手段と、
選択案内画面を表示中の入力応答時間を監視し、この入力応答時間に基づいて前記番組案内表示プログラムを前記表示方法記憶手段に記憶された複数の番組案内表示プログラムから選択する選択入力手段と、
前記選択入力手段により選択された番組案内表示プログラムと前記番組案内データに基づいて番組案内表示画面を作成する番組案内表示制御部と
を備えたことを特徴とする放送受信装置。
【発明の詳細な説明】
【０００１】
【発明の属する技術分野】
本発明は、放送番組の案内情報を編集して画面に表示する放送受信装置に関する。
【０００２】
【従来の技術】
近年米国でのデジタル地上波放送、国内でのＢＳディジタル放送への動きが活発になっているが、国内では既にディジタルＣＳ（通信衛星）放送が開始されている。これらのデジタル放送においては、デジタル圧縮技術により多数のチャンネルによる放送が可能になるとともに、映像パケット、音声パケット以外にデータパケットにより各種データの放送が可能となる。
【０００３】
このようなデジタル放送において、番組案内のためのテキストデータまたはハイパーテキストデータ等である電子番組ガイド（ＥＰＧ：Electronic Program Guide）データを放送し、受信装置で番組案内を画面に表示する技術が知られている。
【０００４】
このような番組案内は、番組のジャンル、番組名称及び番組の説明、放送時間帯等から構成される。これらを判り易く画面表示するための技術として、例えば、特開平９−１８２０３８号公報記載のグラフィカル・ユーザ・インタフェース（ＧＵＩ）を用いた番組案内技術や、特開平８−２５１４９６号公報、特開平８−１３９６１９号公報、特開平９−１４９３２６号公報がある。
【０００５】
【発明が解決しようとする課題】
しかしながら上記従来の技術においては、受信装置の起動から番組の探索、選択、視聴までの一連の操作を考慮した場合、必ずしもあらゆる階層の視聴者にとって使いやすいとは言い難いという問題点があった。
【０００６】
例えば、特定のジャンルの番組だけ見たいという視聴者と、多くの種類の番組を探索したいという視聴者では操作性に対する要求は自ずと異なってくる。また、視聴者が子供、年配或いは女性ということを想定すれば、表示画面のデザイン等もそれなりに対応している方が望ましいが、従来の番組案内技術では一通りの番組案内表示方法しか表現できないという問題点があった。
【０００７】
また、従来の番組案内装置では、表示、操作性に複雑さを感じる利用者がいる一方で、機能不足を感じる利用者もおり、操作性に対する要求が視聴者毎に異なっていることに対応できないという問題点があった。
【０００８】
以上の問題点に鑑み本発明の目的は、視聴者の特性に応じて、高度な機能から簡易化した機能まで種々の機能及び操作性を実現することができる番組案内装置を提供することである。
また本発明の目的は、視聴者の嗜好に応じて、種々の番組案内画面を実現することができる番組案内装置を提供することである。
【００１０】
【課題を解決するための手段】
上記目的を達成するために本発明は、入手した番組案内データに基づいて番組案内表示画面を作成し画面に表示する放送受信装置において、番組案内表示画面を作成させるための複数の番組案内表示プログラムを記憶する表示方法記憶手段と、選択案内画面を表示中の入力応答時間を監視し、この入力応答時間に基づいて番組案内表示プログラムを表示方法記憶手段に記憶された複数の番組案内表示プログラムから選択する選択入力手段と、選択入力手段により選択された番組案内表示プログラムと番組案内データに基づいて番組案内表示画面を作成する番組案内表示制御部とを備えたことを要旨とする放送受信装置である。
【００１１】
【発明の実施の形態】
次に図面を参照して、本発明の実施の形態を詳細に説明する。
図１は、本発明に係る放送受信装置の第１の実施形態の構成を示すブロック図である。同図において、放送受信装置１は、アンテナ３、チューナ／復調回路５、デスクランブル回路７、データ分離回路９、音声デコード回路１１、音声出力回路１３、スピーカ（ＳＰ）１５、画像デコード回路１７、画像出力回路１９、表示装置２１、番組案内表示制御部２３、複数の番組案内表示プログラムや画面のデザインデータ等を格納した不揮発性記憶装置としてのハードディスク装置（ＨＤＤ）４１、リモコン受信機３７、視聴者からの番組案内表示方法の選択を入力するためのリモコン送信機３９を備えている。
【００１２】
次に、放送受信装置１の全体の動作の概略を説明する。アンテナ３で受信された放送は、チューナ／復調回路５で選局・復調され、デスクランブル回路７で契約された有料放送のスクランブルが解除され、データ分離回路９により音声データ２０１、画像データ２０２、ＥＰＧデータ２０３に分離される。
【００１３】
音声データ２０１は、音声デコード回路１１により圧縮符号化音声データがデコードされ、さらに音声出力回路１３によりＤ／Ａ変換及び電力増幅されてスピーカ１５に伝えられる。
【００１４】
画像データ２０２は、画像デコード回路１７により例えばＭＰＥＧ２画像データがデコードされて番組内容の画像データ２０４となり、画像出力回路１９へ送られて、Ａ／Ｄ変換及び増幅後、例えばＣＲＴ等の表示装置２１に出力される。ＥＰＧデータ２０３は、番組案内表示制御部２３のデータ入力インタフェース（以下、インタフェースをＩＦと省略する）２５へ入力される。
【００１５】
番組案内表示制御部２３は、データ入力ＩＦ２５、画像出力ＩＦ２７、バス２９、主メモリ３１、例えばマイクロプロセッサ等を用いたＣＰＵ３３、及びタイマ３５を備えている。バス２９には、データ入力ＩＦ２５、画像出力ＩＦ２７、主メモリ３１、ＣＰＵ３３、タイマ３５、リモコン受信機３７、ＨＤＤ４１が接続され、相互にデータ交換が可能となっている。
【００１６】
リモコン送信機３９とリモコン受信機３７は、有線または赤外線等の無線を介して接続され、リモコン送信機３９に設けられた図示しないボタンやタッチパッド等の入力手段により、視聴者による番組案内表示方法の選択をＣＰＵ３３が実行するプログラムに伝達することができるようになっている。
【００１７】
ＨＤＤ４１は、予め複数の番組案内表示方法すなわちＥＰＧデータを基に番組案内表示を処理するためのソフトウェアや画面のデザイン等のデータである番組案内表示プログラム１０１Ａ、１０１Ｂ、１０１Ｃを格納するための不揮発性記憶装置であり、ここには、表示方法選択プログラム１０３も記憶されている。
【００１８】
表示方法選択プログラム１０３は、放送受信装置１の電源投入時、またはリモコン送信機３９から番組案内の要求が送信されたときに、ＨＤＤ４１から主メモリ３１へロードされ、このプログラムの制御下で複数の番組案内方法を実現する番組案内表示プログラム１０１Ａ、１０１Ｂ、１０１Ｃから一つの番組案内プログラムが選択され、選択された番組案内方法に該当する番組案内表示プログラム１０１が主メモリ３１にロードされ、ＣＰＵ３３により実行されるようになっている。
【００１９】
番組案内表示プログラム１０１Ａ、１０１Ｂ、１０１Ｃから選択され、主メモリ３１へロードされた番組案内プログラム１０１は、ＣＰＵ３３によって実行され、プログラムに記載された手順及び画面デザインにより定まる番組案内表示方法に従って、ＥＰＧデータ２０３に編集や加工を施して番組案内表示画面を生成する。
【００２０】
図２は、本実施の形態による表示方法選択画面を示す。図２の表示方法選択画面の例は、複数の番組案内表示方法１０１Ａ、１０１Ｂ、１０１Ｃによりそれぞれ作成された番組案内画面例３０１Ａ、３０１Ｂ、３０１Ｃを同時に１枚の画面に表示した例を示している。
【００２１】
つまり放送受信装置１に設けられた複数の番組案内方法の例を表示方法選択プログラム１０３によってＨＤＤ４１より引き出し、ＣＰＵ３３の画像データ処理により１枚の画面に同時にまたは複数枚の画面に分けて表示装置２１の画面に表示させ、視聴者に番組案内表示方法の選択を促す。
【００２２】
この表示方法選択画面を見た視聴者は、適当な番組案内方法を選択し、その選択指示をリモコン送信機３９を介して放送受信装置１に指示する。リモコン送信機３９から送信された番組表示方法選択指示は、リモコン受信機３７に受信され、例えば所定の割り込み機能や入力要求機能を使用してＣＰＵ３３に通知する。
【００２３】
この通知を受けたＣＰＵ３３で実行中の表示方法選択プログラム１０３は、複数の番組案内表示プログラム１０１Ａ、１０１Ｂ、１０１Ｃの中から該当する番組案内プログラム１０１を選択し、ＨＤＤ４１から主メモリ３１にロードする。これ以降、番組案内プログラム１０１によって、番組案内を表示する。
【００２４】
番組案内の例の表示はその時の画像データか、または例の表示用のＥＰＧデータを予めＨＤＤ４１に用意しておくことにより行う。また、表示方法選択は放送受信装置１の起動時に限らず、放送受信装置の前面パネルや、リモコン等でそれを指示して何時でも行えるようにしてもよい。
【００２５】
図３は、本発明に係る放送受信装置の第２の実施形態の構成を示すブロック図である。同図において、放送受信装置１には、視聴者の特性を判定する視聴者特性判定プログラム１０５が追加されている。その他の構成は図１に示した第１実施形態と同様である。
【００２６】
視聴者特性判定プログラム１０５は、データ入力ＩＦから入力されるＥＰＧデータも番組表示方法選択に利用する。
この実施形態では、視聴者が見ようとしている番組から視聴者特性判定プログラム１０５が視聴者の特性や特徴を推定し、視聴者に合わせた番組案内を自動的に選択し、表示方法選択プログラムに伝えることができる。例えば放送受信装置１の起動時に表示方法選択プログラム１０３により見たい番組のジャンル或いはキーワードを問い合わせる基本画面を作成、表示し、視聴者が入力したジャンルやキーワードに該当するＥＰＧデータ中のキーワードから、例えば大人、子供、老人といった視聴者の特徴を表示方法選択プログラム１０３において推定し、視聴者に合った番組案内表示方法を自動的に選択する。
【００２７】
図４に第２の実施形態の表示方法選択画面の例を示す。図４（ａ）で基本画面４０１が表示され、番組のジャンル４１１、４１２、…、４１６を問い合わせている。仮に番組案内表示プログラム１０１Ａ、１０１Ｂ、１０１Ｃが各々一般向け、老齢者向け（文字表記が大きくなっている等）、子供向け（機能を一部削除して簡易化してある等）が用意してあるとする。
【００２８】
基本画面４０１で選択された番組のジャンルのキーワードが、例えばマンガ番組、子供のスポーツ、子供向け料理番組等の子供番組であるとすると、表示方法選択プログラム１０３は、キーワードより判断して番組案内表示プログラム１０１Ｃを選択する（図４（ｂ））。
【００２９】
また上述の選択方法の場合、基本画面４０１を提示してからいずれかのジャンルの選択入力がリモコン送信機３９等で入力されるまでの時間をハードウェアタイマ３５またはソフトウェアで実現されるタイマによって計測し、この計測された時間と予め記憶された時間とを比較することによって、入力に手間取っていたか否かを判定することにより、視聴者の特徴を推定することができる。
【００３０】
このように、視聴者特性判定プログラム１０５において、操作にかかる時間も計時し、操作に習熟していないと判断したら機能を削いだ簡単な構成の番組案内を自動的に選択し、ＨＤＤ４１から主メモリ３１へロードして実行させることもできる。
【００３１】
図５は、本発明に係る放送受信装置の第３及び第４の実施形態の構成を示すブロック図である。同図において、放送受信装置１には、公衆回線に接続されたモデム（ＭＯＤＥＭ）４３、及びダウンロード制御プログラム１０７が追加されている。その他の構成は図１に示した第１実施形態と同様である。
【００３２】
ＨＤＤ４１に記憶された複数の番組案内表示プログラム１０１Ａ、１０１Ｂ、１０１Ｃは、書換可能な構成となっている。すなわち、より使い易くまたは見易い番組案内表示方法が出てきた場合、または番組のジャンルや視聴者の特徴を考慮した、より特化した番組案内表示方法が出てきた場合、本発明によれば番組案内表示の処理のソフトウェア等をＨＤＤ等の書換可能な不揮発性記憶装置に格納する構成を採っているため、新たな番組案内表示への更新または追加が可能である。
【００３３】
第３の実施形態としては、これらのソフトウェア等の更新や追加のために、ダウンロード制御プログラム１０７によりデータ放送を介して受け取ったデータをデータ入力ＩＦ２５を介してＨＤＤ４１へ格納する。
【００３４】
また第４の実施形態としては、これらのソフトウェア等の更新や追加のために、ダウンロード制御プログラム１０７によりモデム４３等を使用したデータ通信により受け取ったデータをＨＤＤ４１へ格納する。
【００３５】
図６は、本発明に係る放送受信装置の第５の実施形態の構成を示すブロック図である。同図において、放送受信装置１には、バス２９に接続されたフロッピーディスク・ドライブ５１やＣＤ−ＲＯＭドライブ５３、及びこれらを制御するための周辺装置ドライバ（プログラム）１０９が追加されている。その他の構成は図１に示した第１実施形態と同様である。図６に示すように、搬送可能な記憶媒体により、表示方法選択プログラム１０３や番組案内表示プログラム１０１Ａ、１０１Ｂ、１０１Ｃ等のソフトウェアの更新や追加を行うこともできる。
【００３６】
図７は、本発明に係る放送受信装置の第６の実施形態の構成を示すブロック図である。同図において、放送受信装置１には、機能デザイン選択プログラム１１１が追加されている。その他の構成は図１に示した第１実施形態と同様である。
【００３７】
本実施形態によれば、番組案内表示プログラム１０１Ａ、１０１Ｂ、１０１Ｃの各部分のデザイン或いは機能が部品化されて提供されるようになっており、視聴者は、機能デザイン選択プログラム１１１により、これら複数の機能の中から所望の機能を選択し、また番組案内表示画面の各部のデザインを嗜好に合わせて選択することにより、視聴者各自に特化した番組案内表示方法を構築することができるようなっている。
【００３８】
図７中の機能デザイン選択プログラム１１１は、視聴者に独自の番組案内表示方法を構築させるためのユーザーインターフェースであり、例えば、図８に示したようなグラフィカルユーザインタフェースを提供するガイド画面上で、所望の機能及びデザインを選択し、この選択の結果を番組案内表示プログラム１０１Ａ、１０１Ｂ、１０１Ｃの例えば制御パラメータを書き換えることにより、視聴者各自に特化した番組案内表示方法を構築することができるようなっている。
【００３９】
図８のユーザインタフェースを更に詳しく説明すると、画面左上に機能選択テーブル８０１、画面左中央にボタンデザイン選択部、画面中央から右上にかけて表示例８２１、画面下部に、背景選択部が設けられている。
【００４０】
機能選択テーブル８０１は、各種の番組案内機能が各行に記述されたテーブル上で、いずれの機能を所望するかを各機能毎に指定可能であり、例えばリモコン送信機のボタン等により移動できるカーソル８１９により機能選択マーク（●）８０３が付与された機能が有効となっている。
【００４１】
ボタンデザインの選択においては、同様にカーソル８１９により各種ボタンの形状８０５、８０７、８０９から所望の形状を指定することにより達成される。また同様に背景色の選択においても各種カラータイル８１１、８１３、８１５、８１７から所望の色を指定することにより達成される。
【００４２】
図９は、本発明に係る放送受信装置の第７の実施形態の構成を示すブロック図である。同図において、放送受信装置１には、公衆回線に接続されたモデム（ＭＯＤＥＭ）４３、及びＥＰＧデータからこのＥＰＧに関する詳細情報をインターネット上でアクセスするための識別子であるＵＲＬ（Uniform Resource locator）を取得するＵＲＬ取得プログラム１２１、インターネットを閲覧するためのインターネットブラウザ１２３、及びインターネットを介して取得した詳細番組案内情報を編集する詳細案内編集プログラム１２５が追加されている。その他の構成は図１に示した第１実施形態と同様である。
【００４３】
ＵＲＬは詳細な番組案内として、データ分離回路で分離されたＥＰＧデータ２０３の中に入っている。このＥＰＧデータによる番組案内を見ている時、更に詳しい案内としてＵＲＬがそこに記述されているため、必要があればインターネットブラウザ１２３を起動し閲覧することができる。
【００４４】
【発明の効果】
以上説明したように本発明によれば、番組案内の表示方法を複数提供し、視聴者によって表示方法を選択することができるようになる。
また本発明によれば、視聴者の特性に応じて、高度な機能から簡易化した機能まで種々の機能及び操作性を実現することができる。
また本発明によれば、視聴者の嗜好に応じて、種々の番組案内画面を実現することができる。
【図面の簡単な説明】
【図１】本発明に係る放送受信装置の第１実施形態の構成を示すブロック図である。
【図２】第１実施形態による表示方法選択画面の例を示す図である。
【図３】本発明に係る放送受信装置の第２実施形態の構成を示すブロック図である。
【図４】第２実施形態による画面表示例を示す図である。
【図５】本発明に係る放送受信装置の第３、第４実施形態の構成を示すブロック図である。
【図６】本発明に係る放送受信装置の第５実施形態の構成を示すブロック図である。
【図７】本発明に係る放送受信装置の第６実施形態の構成を示すブロック図である。
【図８】第６実施形態による画面表示例を示す図である。
【図９】本発明に係る放送受信装置の第７実施形態の構成を示すブロック図である。
【符号の説明】
１…放送受信装置、３…アンテナ、５…チューナ／復調回路、７…デスクランブル回路、９…データ分離回路、１１…音声デコード回路、１３…音声出力回路、１５…スピーカ、１７…画像デコード回路、１９…画像出力回路、２１…表示装置、２３…番組案内表示制御部、２５…データ入力ＩＦ、２７…画像出力ＩＦ、２９…バス、３１…主メモリ、３３…ＣＰＵ、３５…タイマ、３７…リモコン受信機、３９…リモコン送信機、４１…ハードディスク装置（ＨＤＤ）、１０１Ａ、１０１Ｂ、１０１Ｃ…番組案内表示プログラム、１０３…表示方法選択プログラム。
【図１】
0003895045.tif 000002
【図２】
0003895045.tif 000003
【図３】
0003895045.tif 000004
【図４】
0003895045.tif 000005
【図５】
0003895045.tif 000006
【図６】
0003895045.tif 000007
【図７】
0003895045.tif 000008
【図８】
0003895045.tif 000009
【図９】
0003895045.tif 000010